(57)【要約】      （修正有）【課題】培土装置を作用姿勢と非作用姿勢とに容易に切り換えることが可能な歩行型農作業機を提供する。【解決手段】エンジン３を有する機体２と、該機体２を支持する左右一対の車輪７と、該車輪７の前部に配置されたロータリ装置９と、を備える歩行型農作業機において、前記車輪７と前記ロータリ装置９との間に培土装置を備えると共に、該培土装置を切換装置により作用姿勢と非作用姿勢とに切換え可能に構成したものである。【選択図】図１
2011109962.tif 000002
【特許請求の範囲】
【請求項１】
エンジンを有する機体と、該機体を支持する左右一対の車輪と、該車輪の前部に配置されたロータリ装置と、を備える歩行型農作業機において、前記車輪と前記ロータリ装置との間に培土装置を備えると共に、該培土装置を切換装置により作用姿勢と非作用姿勢とに切換え可能に構成したことを特徴とする歩行型農作業機。
【発明の詳細な説明】
【技術分野】
【０００１】
本発明は、機体を支持する車輪の前部にロータリ装置を備えた歩行型農作業機に係り、詳しくは、作業機として培土装置が備えられた歩行型農作業機に関する。
【背景技術】
【０００２】
従来、歩行型の農作業機には、ロータリ耕耘装置等の作業機が駆動車輪よりも前方に配置された、フロントロータリ型のものがある。また、このような歩行型農作業機には、駆動車輪の前方に配置された前部作業機に加え、該駆動車輪よりも後方に、例えば培土装置等からなる後部作業機が配置されているものが知られている（例えば、特許文献１参照）。
【０００３】
また、車軸型の歩行型農作業機では、抵抗棒近傍に成形板を取り付けることで培土作業を行うものが知られている。（例えば、特許文献２参照）。
【先行技術文献】
【特許文献】
【０００４】
【特許文献１】特開２００６−３３３８０９号公報
【特許文献２】特開２００９−１９５２０７号公報
【発明の概要】
【発明が解決しようとする課題】
【０００５】
歩行型農作業機は、比較的小さい面積の圃場で使用することに適しており、例えば趣味等で農作業を行うユーザーに適していると考えられる。このため、歩行型農作業機は、このようなユーザーにも利用しやすいように、安価で提供されることが望まれている。
【０００６】
しかし、上述した特許文献１のフロントロータリ型の歩行型農作業機においては、培土装置からなる後部作業機に跳ね上げ機構を備えており、それが足元が狭く運転操作がしずらいという問題があった。
【０００７】
また、上述した特許文献２の車軸型の歩行型農作業機では、培土作業をしない時には、成形板を取り外しておかなければならず、取外し作業が面倒であると共に、後日、再度、培土作業を行う場合にあっては、成形板を取り付けなければならないと言った煩雑な面があった。  
【０００８】
そこで本発明は、培土装置を備えたものでありながら、後部作業機の跳ね上げ機構を不要とし、足元を広く運転操作をし易く、また、培土作業をしない時には、成形板を簡単に非作業姿勢にすることにより、培土作業の操作性を向上させることが可能な歩行型農作業機を提供することを目的とする。
【課題を解決するための手段】
【０００９】
本発明は、上記の如き実情に鑑みこれらの課題を解決することを目的として創作されたものであって、エンジンを有する機体と、該機体を支持する左右一対の車輪と、該車輪の前部に配置されたロータリ装置と、を備える歩行型農作業機において、前記車輪と前記ロータリ装置との間に培土装置を備えると共に、該培土装置を切換装置により作用姿勢と非作用姿勢とに切換え可能に構成したことを特徴とする。
【発明の効果】
【００１０】
請求項１に係る本発明によると、エンジンを有する機体と、該機体を支持する左右一対の車輪と、該車輪の前部に配置されたロータリ装置と、を備える歩行型農作業機において、前記車輪と前記ロータリ装置との間に培土装置を備えるにあたり、該培土装置を切換装置により作用姿勢と非作用姿勢とに切換え可能に構成したもので、培土作業を行う時と培土作業をしない時の培土板の切換えを容易に行うことができ作業性を向上させることができる。
【図面の簡単な説明】
【００１１】
【図１】本発明の実施の形態に係る歩行型農作業機を示す側面図である。
【図２】図１の拡大図である。
【図３】歩行型農作業機を示す正面部分断面図である。
【図４】本発明の実施の形態に係る歩行型農作業機を示す平面図である。
【図５】本発明の概略作動図である。
【図６】（ａ）変速レバー近傍に設けた培土装置の切換装置を示す平面図である。（ｂ）ロータリカバー上に設けた培土装置の切換装置を示す平面図である。
【発明を実施するための形態】
【００１２】
以下、本発明に係る実施の形態を図１乃至図６に沿って説明する。
【００１３】
歩行型農作業機としての作業機１は、図１及び図２に示すように、左右一対の車輪７，７に支持された機体２と、該車輪７，７の前部に配置されたロータリ装置９等を備えて構成されている。
【００１４】
上記機体２は、中央上部に配置されたエンジン３と、該エンジン３の下方で前後方向に延びて配置され、エンジン３の動力を駆動車軸５及び耕耘軸６に伝達し得るトランスミッションを収納するミッションケース４とを備えている。該エンジン３の上部前方には、燃料タンク２１が配置され、また右側方にはリコイルスタータ２２が配置されている。
【００１５】
上記ミッションケース４は、上記エンジン３の下方部分において、車輪７，７を回転駆動可能に支持する駆動車軸５を左右に軸支しており、また該駆動車軸５よりも前方側に延設された部分では、複数の耕耘爪８が装着された回転体を回転駆動可能に支持する耕耘軸６を左右に軸支している。また、該耕耘軸６に対して複数の耕耘爪８を装着することにより、上記ロータリ装置９を構成しており、耕耘軸６を回転駆動することで圃場等での耕耘作業を行うことができるように構成されている。
【００１６】
また、ミッションケース４の前部には、ゲージ輪１０が前方に向けて配置されている。
さらに、ミッションケース４の前部には、扇状に形成され、複数の係合部を有するガイド溝が設けられたプレート１１が配置されており、上記ゲージ輪１０は、該ゲージ輪１０と一体的に移動し得るように構成されたレバー１２によって上下方向に調節可能に構成されている。これにより、作業機１は、ゲージ輪１０によって耕深調節等を行うことができるように構成されている。
【００１７】
また、ミッションケース４の後部には、上記機体２から後部上方へ延びるようにハンドルフレーム１５が固着されており、該ハンドルフレーム１５の上端部に配置された回動部２０を介してハンドル１６が、さらに後部上方側へ延びるように配置されている。該ハンドル１６は、上端部分を操縦者が把持することで作業機１の走行方向を操作し得るように構成されており、さらに上端部付近には、クラッチレバー１７が配置され、操縦者が上端部分を把持する際に一緒に把持することでクラッチの入り操作となるように構成されている。なお、上記回動部２０には、角度調節機構が設けられており、操縦者の体格に応じてハンドル１６の高さを調整することが可能となっており、また回動部２０でハンドル１６を回動させ、折り畳むことにより作業機１をコンパクトにして運搬等が容易に行えるように構成されている。
【００１８】
また、ミッションケース４には、変速レバー１８が、上記ハンドルフレーム１５及びハンドル１６に沿うように後部上方に延びて変速レバーガイド１８Ｌに配置されている。該変速レバー１８には、上記回動部２０と略々同一の高さに脱着部１８ａが設けられており、上記のように運搬等によりハンドル１６を折り畳む際には、邪魔にならないように該脱着部１８ａにおいて先端側部分を取り外すことができるように構成されている。
そして、変速レバーガイド１８Ｌの側方には、後述する培土装置２８の姿勢を作用姿勢Ｓから非作用姿勢Ｈに切換える際に、切換装置Ｋを保持しておく保持ブラケット１８ＬＢが設けられている。
該切換装置Ｋは、後述するロッドＬとロッドＬの中途部に溶着された上下２枚の円形状の部材ＬＨ，ＬＬと円形状の部材ＬＨ，ＬＬの外周から挟む二股状の保持ブラケット１８ＬＢから構成されており、培土装置の回動側２８ａ，２８ｂには図３に示すようにロッドＬによって受けている。
変速レバーガイド１８Ｌの側方には、図１、図４乃至図６に示すように切換装置ＫのロッドＬの中途部Ｃを保持する二股状の保持ブラケット１８ＬＢが横設され、該ブラケット１８ＬＢにロッドＬの中途部の外周に溶着して取り付けた上下２枚の円形上の部材ＬＨ、ＬＬを保持ブラケット１８ＬＢの間に位置するように挿入する。
それにより、培土装置２８を作用姿勢Ｓに保持することが可能となる。
【００１９】
さらに、ミッションケース４には、メインカバー２６とリヤカバー２７とからなるロータリカバー２５が固定され、上記ロータリ装置９の上部から後部を覆うように配置されており、該ロータリ装置９により跳ね上げられた泥土がエンジン３や操縦者にかからないように構成されている。また、リヤカバー２７には、後述する培土装置２８が取り付けられている。
該培土装置２８は、図２乃至図３に示すように、培土装置２８の中途に設けられた軸Ｇに対して下方側が前述した切換装置ＫのロッドＬの前方への回動操作によって、作用姿勢Ｓから非作用姿勢Ｈに切り換えることができる。
ロータリカバー２５上には、図１、図４乃至図６に示すようにロッドＬの中途部を保持する二股状の保持ブラケット２５Ｂが立設され、該ブラケット２５ＢにロッドＬの中途部に外周に溶着して取り付けた上下２枚の円形上の部材ＬＨ、ＬＬを保持ブラケット２５Ｂ間に位置するように挿入する。
それにより、培土装置２８をミッションケース４下方近傍まで回動させた姿勢に保持することが可能となる。
【００２０】
次に、培土装置２８について、図３に沿って説明する。
【００２１】
培土装置２８は、図３に示すように、軸Ｇを中心に回動する部分には中央部分の平面部２８ａと左右両側方部分の後方への曲面部２８ｂとを有する金属製の部材によって全体を台形状に構成されている。該曲面部２８ｂは、全体が長方形からなる板状の部材の下方側の両端部となる角部が後方側となるように曲げ加工することにより形成される。また、培土装置２８は、上方側中央部分にミッションケース４の突出部分の形状に合わせた切り欠き部２８ｃが形成されており、該切り欠き部２８ｃの両側方部分において、上記ミッションケース４に取り付けられたロータリカバー２５のリヤカバー２７にボルト２９によって取り付けられている。
【００２２】
さらに、培土装置２８は、図１及び図２に示すように、平面部２８ａがリヤカバー２７を延長するように取り付けられており、下方になるにつれて後方側となる傾斜状に配置されている。これにより、作業機１が耕耘作業を行う場合には、ロータリ装置９によって耕耘された泥土は、該培土装置２８によって左右側方又は下方に寄せられ、作業機１の走行に大きな抵抗となることなく、うね立てを行うことができる。
【００２３】
またこの際、図３に示すように、培土装置２８の幅方向の長さｈは、車輪７，７間の距離Ｈよりも小さくなるように構成されており、非作用姿勢で上方収納して車輪間に入るように構成している。
【００２４】
なお、培土装置２８は、板状部材を曲げ加工して形成するように説明したが、これに限らず、例えば正面図が図３に示すように下方になるにつれて幅方向の長さが小さくなるように形成された板上部材であっても本発明を適用することができる。また、培土装置２８は、金属製の部材によって形成されるように説明したが、例えば硬質ゴム等によって形成されたものであっても本発明を適用することができる。
【００２５】
以上のように本発明に係る作業機１は、培土装置２８が車輪７，７とロータリ装置９との間に備えられているので、培土装置２８を備えたものでありながら、該培土装置２８を切換装置Ｋにより作用姿勢Ｓと非作用姿勢Ｈとに切換え可能に構成したことにより、簡単な構成によって、培土作業を行う時と培土作業をしない時の培土板の切換えを容易に行うことができ作業性を向上させることができる。
【符号の説明】
【００２６】
１        歩行型農作業機（作業機）
２        機体
３        エンジン
７        車輪
９        ロータリ装置
２５      ロータリカバー
２８      培土装置
Ｋ        切換装置
【図１】
2011109962.tif 000003
【図２】
2011109962.tif 000004
【図３】
2011109962.tif 000005
【図４】
2011109962.tif 000006
【図５】
2011109962.tif 000007
【図６】
2011109962.tif 000008